(57)【要約】      （修正有）【課題】事故時において、救護者が運転者の身分証明書を確認するために、運転者の体を動かすことが困難または命の危険につながるような場合に、運転者に触れずに、運転者情報を把握出来る、車両に取り付けるパッド及びそれを用いた二輪自動車を提供する。【解決手段】二輪自動車の車両に取り付けるパッド２０に、運転者情報記載欄３０と記載欄を保護するための保護フィルム５０を設ける。救護者は運転手に触れることなく、そのパッドの運転者情報を確認することによって、運転者の情報を得られ、関係機関に迅速に連絡を入れることが可能となる。【選択図】図２
0003221965.tif 000002
【実用新案登録請求の範囲】
【請求項１】
二輪自動車に取り付けるパッドであって、前記パッドに運転者の情報記載欄と、前記情報記載欄を保護するための保護フィルムとを設けたことを特徴とする運転者情報を記載出来るパッド。
【請求項２】
前記運転者情報を記載出来るパッド裏面をタックシートまたはマグネットあるいはその両方で構成したことを特徴とする請求項１に記載の運転者情報を記載出来るパッド。
【請求項３】
前記運転者情報を記載出来るパッドの貼り剥がしを容易に行うためにツマミと、前記ツマミ裏側に凸型の突起物を更に設けたことを特徴とする請求項１または２に記載の運転者情報を記載出来るパッド。
【請求項４】
請求項１〜３に記載の運転者情報を記載出来るパッドを用いた二輪自動車。
【考案の詳細な説明】
【技術分野】
【０００１】本考案は、運転者情報を記載出来るパッド及びそれを用いた二輪自動車に係る。より詳しくは、事故現場に立ち会った救護者が、二輪自動車に取り付けられたパッドに記載されている運転者情報を確認することにより、運転者に触れることなく、運転者の情報を得られ、関係機関へ迅速に連絡が出来るパッド及びそれを用いた二輪自動車に関する。
【背景技術】
【０００２】二輪自動車を運転中に、事故や転倒で怪我をする場合がある。どんな高度な訓練を積んでいたとしても、突発的に起きる事故を運転技術で避けるには限界があると考えられる。【０００３】二輪自動車の転倒等に備え、エンジンガードなどを装備している車両も見受けられるが、あくまで車両本体の破損対応であり、運転者を保護する装備はなされていない。運転者の体を保護する装備品は、基本的に運転者本人が身に着けているヘルメットやボディプロテクターのみである。【０００４】最近の二輪自動車の一部車両には、四輪自動車と同じようなエアバッグを装備している車両も存在し、また運転者が身に着けるジャケットにもエアバッグが内蔵されているタイプもあるが、いずれにしても外部に開放されている生身の人間の命を助けるためにその装置を発動させるには、諸条件（衝突速度や衝突侵入角度など）が揃っていなければならない。【０００５】前記のように、二輪自動車の事故の場合、運転者の体が外部に開放されている分、事故に遭遇した際に、四輪自動車の事故よりも運転者の体へのダメージが大きい可能性が高い。【０００６】怪我の程度によっては、救護者が運転者の体を動かすことが困難または命の危険につながる場合がある。【０００７】事故現場において、運転者の本人確認をするために、救護者が身分証明書を確認する必要があるが、前述のような状況においてはそれが難しい場合が考えられる。また、一般民間人が事故現場に遭遇した場合には、そもそも身分証明書がどこに携帯されているのかさえ分からない場合が多い。
【先行技術文献】
【非特許文献】
【０００８】
【非特許文献１】既存製品ＵＲＬ：ｈｔｔｐｓ：／／ｗｗｗ．ｄａｙｔｏｎａ．ｃｏ．ｊｐ／ｐｒｏｄｕｃｔｓ／ｓｉｎｇｌｅ−９８００４−ｇｅｎｒｅ
【考案の概要】
【考案が解決しようとする課題】
【０００９】従来、車両の傷付き防止を目的とするプロテクトパッドは存在する。【００１０】二輪自動車の事故時などの際に、運転者が身に着けている身分証明書を確認しなければ運転者の情報が分からない問題があった。【００１１】本考案は、事故時において、救護者が運転者の身分証明書を確認するために、運転者の体を動かすことが困難または命の危険につながるような場合に、救護者が運転者に触れずして、運転者情報を把握出来るようにする問題を解決するために、車両に取り付けるパッド及びそれを用いた二輪自動車を提供する。
【課題を解決するための手段】
【００１２】本考案は、上記課題を解決するために、以下に記載の手段よりなる。
すなわち、
（１）二輪自動車に取り付けるパッドであって、前記パッドに運転者の情報記載欄と、前記情報記載欄を保護するための保護フィルムとを設けたことを特徴とする運転者情報を記載出来るパッド。
（２）前記運転者情報を記載出来るパッド裏面をタックシートまたはマグネットあるいはその両方で構成したことを特徴とする（１）に記載の運転者情報を記載出来るパッド。
（３）前記運転者情報を記載出来るパッドの貼り剥がしを容易に行うためにツマミと、前記ツマミ裏側に凸型の突起物を更に設けたことを特徴とする（１）または（２）に記載の運転者情報を記載出来るパッド。
（４）（１）〜（３）に記載の運転者情報を記載出来るパッドを用いた二輪自動車。
【考案の効果】
【００１３】パッドに運転者情報記載欄を設けることにより、事故などの際に、パッドの運転者情報を確認することにより、救護者が運転者に触れずして、関係機関へ迅速に連絡が出来るようになる効果がある。また、記載欄の上に保護フィルムを貼る事により、記載欄が擦れて消えない効果がある。【００１４】パッドの取付面側にタックシートまたはマグネットあるいはその両方を使用することにより、貼り剥がしが可能となり、複数人で１台の車両を共有出来る効果がある。また、情報記載欄に個人情報が含まれている場合には、剥がして持ち運びが出来る効果がある。【００１５】パッドにツマミを設けることにより、パッドの貼り剥がしがしやすくなる効果がある。また、ツマミ部の裏側に凸加工を施すことによりツマミをつまみやすくする効果がある。
【図面の簡単な説明】
【００１６】
【図１】従来のパッドを説明する斜視図である。
【図２】本考案のパッドを説明する斜視図である。
【図３】本考案のパッドを説明する（ａ）正面図、（ｂ）背面図、（ｃ）断面図である。
【考案を実施するための形態】
【００１７】図面１に示すように、従来型のパッド本体１０はタンクに貼り付けて使用する傷付き防止が目的のパッドである。
【００１８】以下、添付図面２に基づいて、本考案の好適な一実施例として燃料タンクに取り付けた運転者情報を記載出来るパッド及びそれを用いた二輪自動車を説明する。大きさ、形状、色にはこだわらない。
【００１９】図面２は、実施形態に係る本考案の運転者情報を記載出来るパッドを二輪自動車の燃料タンク部に取り付けた場合の図である。事故の際に、衝撃で車両の前後は損傷を受けやすいが、中央部（燃料タンク部）であれば、形状を維持しやすいと考えられる。
【００２０】本考案のパッド本体２０に運転者情報記載欄３０がある。記載欄の記入例として、運転者の氏名、血液型、所属、電話番号がある。情報の記載事項は一例であり、必要に応じて他の情報を記載するなど増減しても構わない。
【００２１】１台の車両を複数人で共有使用することを考慮し、取付面側は脱着が可能なタックシートまたはマグネットあるいはその両方を使用する。情報記載欄に個人情報が含まれている場合には、剥がして持ち運びが可能である。
【００２２】運転者がパッドの脱着を容易に出来るようツマミ４０を設ける。ツマミをつまみやすくするために、ツマミ裏側に凸部を設ける。
【００２３】運転者情報記載欄が擦れて消えないように、保護フィルム５０が附属する。
【００２４】図面３は本考案のパッド本体について更に詳細に説明をする図である。
（ａ）は正面図である。本考案のパッド本体２０に運転者情報記載欄３０がある。記載欄の記入例として、運転者の氏名、血液型、所属、電話番号がある。情報の記載事項は一例であり、必要に応じて他の情報を記載するなど増減しても構わない。運転者がパッドの脱着を容易に出来るようツマミ４０を設ける。運転者情報記入欄が擦れて消えないように、保護フィルム５０が附属する。（ｂ）は背面図である。１台の車両を複数人で共有使用することを考慮し、取付面側７０は脱着が可能なタックシートまたはマグネットあるいはその両方を使用する。情報記載欄に個人情報が含まれている場合には、剥がして持ち運びが可能である。ツマミをつまみやすくするために、ツマミ裏側凸部６０を設ける。（ｃ）はＡ〜Ａ’の断面図である。ツマミをつまみやすくするためにツマミ裏側凸部６０を設ける。
【００２５】パッドは、燃料タンクに限らず、外部から見えて運転者情報が確認出来る部分に取り付けてもよい。
【産業上の利用可能性】
【００２６】本考案は、一般ライダーの他にも、職務での二輪自動車の使用頻度が高い、警察車両、消防車両、自衛隊車両、郵便配達車両、荷物配送車両、教習車両、競技車両などへ利用が出来る。
【符号の説明】
【００２７】１０  従来型のパッド本体
２０  本考案のパッド本体
３０  運転者情報記載欄
４０  ツマミ
５０  保護フィルム
６０  ツマミ部裏側凸部
７０  取付面側
【図１】
0003221965.tif 000003
【図２】
0003221965.tif 000004
【図３】
0003221965.tif 000005
【手続補正書】
【提出日】平成31年4月6日(2019.4.6)
【手続補正１】
【補正対象書類名】実用新案登録請求の範囲
【補正対象項目名】全文
【補正方法】変更
【補正の内容】
【実用新案登録請求の範囲】
【請求項１】
二輪自動車に取り付けるパッドであって、前記パッドに運転者の情報記載欄と、前記情報記載欄を保護するための保護フィルムとを設けたことを特徴とする運転者情報を記載出来るパッド。
【請求項２】
前記運転者情報を記載出来るパッド裏面をタックシートまたはマグネットあるいはその両方で構成したことを特徴とする請求項１に記載の運転者情を記載出来るパッド。
【請求項３】
前記運転者情報を記載出来るパッドの貼り剥がしを容易に行うためにツマミと、前記ツマミ裏側に凸型の突起物を更に設けたことを特徴とする請求項１または２に記載の運転者情報を記載出来るパッド。
【請求項４】
請求項１〜３のいずれか一項に記載の運転者情報を記載出来るパッドを用いた二輪自動車。
【手続補正２】
【補正対象書類名】明細書
【補正対象項目名】００１２
【補正方法】変更
【補正の内容】
【００１２】  本考案は、上記課題を解決するために、以下に記載の手段よりなる。
すなわち、
（１）二輪自動車に取り付けるパッドであって、前記パッドに運転者の情報記載欄と、前記情報記載欄を保護するための保護フィルムとを設けたことを特徴とする運転者情報を記載出来るパッド。
（２）前記運転者情報を記載出来るパッド裏面をタックシートまたはマグネットあるいはその両方で構成したことを特徴とする（１）に記載の運転者情報を記載出来るパッド。
（３）前記運転者情報を記載出来るパッドの貼り剥がしを容易に行うためにツマミと、前記ツマミ裏側に凸型の突起物を更に設けたことを特徴とする（１）または（２）に記載の運転者情報を記載出来るパッド。
（４）（１）〜（３）のいずれか一に記載の運転者情報を記載出来るパッドを用いた二輪自動車。